(57)【特許請求の範囲】
【請求項１】
外部からの電源の供給を受けて動作する回路を収納した箱形状の筐体と、
前記筐体における互いに隣り合う第１の面および第２の面に亘って設けられ、かつ、前記第１の面および前記第２の面間の稜線に沿った両端部の角部が残るように設けられた凹部と、
前記凹部に設けられ、前記回路に対して電気的に接続されているとともにねじ端子が螺合可能な複数の端子部と、
前記凹部を覆う断面略Ｌ字状の蓋部材と、
を有し、
前記蓋部材が、前記稜線と平行な回動軸を中心として前記筐体に対して開閉可能であり、さらに、
前記蓋部材の裏面に設けられ、前記凹部を覆う状態において前記凹部の底部まで延びる筒部と、
前記蓋部材の表面側から前記筒部に挿通され、前記凹部の前記底部に螺子部が螺合される固定ボルトと、
を有する電気機器。
【請求項２】
請求項１に記載の電気機器において、
前記筐体に対して前記蓋部材が着脱自在である電気機器。
【請求項３】
請求項１または請求項２に記載の電気機器において、
前記筒部の内面に前記固定ボルトの前記螺子部が螺合通過する螺合部が設けられているとともに、前記螺合部と前記固定ボルトの頭部との間に圧縮ばねが介装されている電気機器。
【請求項４】
請求項１〜請求項３のいずれかに記載の電気機器において、
前記蓋部材における前記回動軸と平行な方向に沿った端縁に設けられた第１係合部と、  前記凹部の内面に設けられ、前記蓋部材が前記凹部を覆う状態において前記第１係合部に係合する第２係合部とを備える電気機器。
【発明の詳細な説明】
【技術分野】
【０００１】
本発明は、例えば分電盤に収納されて使用できる電気機器に関するものである。
【背景技術】
【０００２】
従来から、例えば遠隔監視制御システムの調光端末器のように、分電盤に収納されて使用される電気機器が知られている（例えば、特許文献１参照）。
図１０に示すように、特許文献１に記載の電気機器１００は、ボディー１０１とカバー１０２を結合して構成される箱形の器体１０３を有する。器体１０３には、複数の螺子端子からなり、商用電源に接続される電源用端子部１０４、照明負荷からの電線が接続される負荷用端子部１０５および調光信号等の信号を伝送する信号線が接続される信号用端子部１０６が設けられている。
【０００３】
電源用端子部１０４および負荷用端子部１０５は、カバー１０２の前面に設けられている端子用凹部１０７に設けられており、螺子により接続される。端子用凹部１０７には端子カバー１０８が設けられており、端子用凹部１０７の上部および前部の一部を覆っている。なお、端子カバー１０８は、固定ボルト１０９によりカバー１０２に着脱可能に取り付けられている。
これにより、作業者の指が端子用凹部１０７に侵入するのを防止している。
【先行技術文献】
【特許文献】
【０００４】
【特許文献１】特開２００９−２６６４８７号公報（第１図）
【発明の概要】
【発明が解決しようとする課題】
【０００５】
しかしながら、前述した特許文献１に記載の電気機器１００においては、電源用端子部１０４および負荷用端子部１０５への接続作業の際には、カバー１０２とは別体である端子カバー１０８を取り外す必要がある。この際、固定ボルト１０９を取り外して、端子カバー１０８を外してから作業を行わねばならず、面倒であるという問題があった。
また、取り外した端子カバー１０８や固定ボルト１０９の置き場所を考慮する必要があり、余分な留意が要求される。さらに、留意が足りない場合には、端子カバー１０８や固定ボルト１０９等を紛失する虞もある。
【０００６】
本発明は、従来の問題を解決するためになされたもので、端子部を覆う蓋部材を容易に開閉することができ、蓋部材の置き場所に留意することなく，紛失の虞がない電気機器を提供することを目的とする。
【課題を解決するための手段】
【０００７】
本発明の電気機器は、外部からの電源の供給を受けて動作する回路を収納した箱形状の筐体と、前記筐体における互いに隣り合う第１の面および第２の面に亘って設けられ、かつ、前記第１の面および前記第２の面間の稜線に沿った両端部の角部が残るように設けられた凹部と、前記凹部に設けられ、前記回路に対して電気的に接続されているとともにねじ端子が螺合可能な複数の端子部と、前記凹部を覆う断面略Ｌ字状の蓋部材と、を有し、前記蓋部材が、前記稜線と平行な回動軸を中心として前記筐体に対して開閉可能であり、さらに、前記蓋部材の裏面に設けられ、前記凹部を覆う状態において前記凹部の底部まで延びる筒部と、前記蓋部材の表面側から前記筒部に挿通され、前記凹部の前記底部に螺子部が螺合される固定ボルトと、を有するものである。
【０００８】
また、本発明の電気機器は、前記筐体に対して前記蓋部材が着脱自在であるものである。
【００１０】
また、本発明の電気機器は、前記筒部の内面に前記固定ボルトの前記螺子部が螺合通過する螺合部が設けられているとともに、前記螺合部と前記固定ボルトの頭部との間に圧縮ばねが介装されているものである。
【００１１】
さらに、本発明の電気機器は、前記蓋部材における前記回動軸と平行な方向に沿った端縁に設けられた第１係合部と、前記凹部の内面に設けられ、前記蓋部材が前記凹部を覆う状態において前記第１係合部に係合する第２係合部とを備えるものである。
【発明の効果】
【００１２】
本発明は、筐体において互いに隣り合う第１の面および第２の面に亘って複数の端子部を有する凹部が設けられており、凹部を覆う断面略Ｌ字状の蓋部材が回動軸を中心として筐体に対して開閉可能に設けられているので、端子部を覆う蓋部材を容易に開閉することができ、作業効率を向上できる。また、蓋部材は筐体から外さなくてよいので、蓋部材の置き場所に留意する必要がなく、紛失の虞もないという効果を有する電気機器を提供できる。
【図面の簡単な説明】
【００１３】
【図１】本発明に係る実施形態の電気機器の全体斜視図
【図２】本発明に係る実施形態の電気機器において蓋部材を開けた状態の全体斜視図
【図３】本発明に係る実施形態の電気機器において蓋部材を取り外した状態の平面図
【図４】蓋部材を表側から見た分解斜視図
【図５】蓋部材を裏側から見た斜視図
【図６】（Ａ）は図４中ＶＩ部分の拡大斜視図であり、（Ｂ）は（Ａ）中Ｂ方向から見た背面図
【図７】図５中ＶＩＩ−ＶＩＩ位置の断面図
【図８】図２中ＶＩＩＩ部分の拡大斜視図
【図９】図４中ＩＸ部分の拡大斜視図
【図１０】（Ａ）は従来の電気機器の全体斜視図であり、（Ｂ）は一部分解斜視図
【発明を実施するための形態】
【００１４】
以下、本発明に係る実施形態の電気機器について、図面を用いて説明する。
図１に示す本発明に係る実施形態の電気機器１０は、例えば分電盤（図示省略）に収納される遠隔監視制御システムの調光端末器として用いることができる。
【００１５】
図１および図２に示すように、電気機器１０は、例えば、絶縁性を有する合成樹脂材料で形成され下方に開口した矩形箱状の上筐体２０と、アルミダイカスト等の熱伝導性の高い材料で形成され上方に開口した下筐体３０とを組み合わせた矩形箱形状の筐体１１を有する。筐体１１の内部には、外部からの電源の供給を受けて動作する回路を収納している。
なお、以下の説明においては、図１中左手前側を前側とし、右奥側を後側と定める。
【００１６】
下筐体３０の前面３１および後面（図示省略）には、複数個の係合孔３２が設けられている。
従って、電気機器１０を分電盤（図示省略）内部に収納して固定する際に、分電盤に設けられている取付具や、筐体１１同士を連設するための連設板（図示省略）を挿入することにより、容易に取り付けることができる。
【００１７】
上筐体２０には、互いに隣り合う第１の面である上面２１および第２の面である前面２２に亘って設けられ、且つ、上面２１および前面２２間の稜線２３に沿った両端部の角部である側面前部２４が残るように凹部２５（図３参照）が設けられている。
【００１８】
また、側面前部２４の内面２４１には上下方向にリブ２４２が設けられており、リブ２４２の上端には、後述する蓋部材４０を仮止めするための第２係合部である係止爪２４３が，凹部２５の内側に突出して設けられている。
図８に示すように、係止爪２４３は、先端下面に、凹部２５の内側に水平に突出するストッパ面２４４を有し、先端上面には、先端に向かって下降する傾斜面２４５を有する。
【００１９】
図２に示すように、凹部２５は、前側の深い凹部（前凹部２５１）と、後側の浅い凹部（後凹部２５２）とから、全体Ｌ字形状に形成されており、両凹部２５１，２５２の底部２５１Ａ，２５２Ａは段違いに設けられている。両凹部２５１，２５２には、幅方向に所定間隔で仕切板２６１が設けられており、各々複数個の端子部２６２が設けられて接続部２６を形成している。
【００２０】
ここでは、図３にも示すように、各凹部２５１，２５２に８個ずつ，合計１６個の端子部２６２が設けられており、例えば、８個の端子部２６２に端子２６３を設けて使用している。端子２６３は、筐体１１内部に収納されている回路（図示省略）に接続される端子板２６４と、端子板２６４に設けられたねじ孔に螺合するねじ端子２６５とで構成される。
なお、端子部２６２のうちの２個には、後述する蓋部材４０を固定するためのねじ孔２８が設けられている（図３参照）。
【００２１】
従って、端子２６２に接続される信号線等の電線（図示省略）は、導線をねじ端子２６５に巻き付けてねじ端子２６５を締め付けることにより、電気的および機械的に接続できる。あるいは、電線の先端に取り付けた圧着端子（図示省略）にねじ端子２６５が挿通できる貫通穴を設けておき、貫通穴にねじ端子２６５を挿通して締め付けて接続することもできる。
【００２２】
また、図３に示すように、上筐体２０の上面２１の後端部には、商用電源に接続される接続部２７が設けられている。この接続部２７は２個の端子２７１，２７２を有している。
なお、端子２７１，２７２の構造は、前述した端子２６３と同様である。
【００２３】
図２に示すように、上筐体２０の凹部２５を覆う蓋部材４０が、回動軸Ｌ１まわりに開閉可能且つ取り外し可能に設けられている。
図４に示すように、蓋部材４０は、上筐体２０の前凹部２５１に対応する前部４１と、後凹部２５２に対応する後部４２とから階段状（Ｌ字形状）に設けられている。後部４２の後端部には、蓋部材４０を回動軸Ｌ１まわりに開閉可能に支持するための軸突起４３が設けられている。
【００２４】
図６（Ａ）に示すように、軸突起４３は、蓋部材４０の後部４２の側面から外側へ突出する略半円形状の部材である。また、図６（Ｂ）に示すように、軸突起４３は、上筐体２０の上面２１の前端に設けられる回動軸Ｌ１上に設けられており、上面２１の前端において左右両端部に設けられている軸受け部２１１（図１参照）の先端に凹設されている軸凹部２１２に嵌合する。
従って、軸突起４３が軸凹部２１２に嵌合することにより、蓋部材４０は開閉可能に支持される。そして、所定以上の外力を作用させることにより、半球状の軸突起４３は軸凹部２１２から離脱するので、蓋部材４０を筐体１１から取り外すことができる。
【００２５】
図４に示すように、蓋部材４０には、蓋部材４０を閉じた状態で各端子部２６２に対応する円形の開口部４４が設けられており、ねじ回しを挿入して端子部２６２のねじ端子２６５を回すことができる。各開口部４４は、蓋部材４０の外面４０２に設けられた複数のリブ４０４により仕切られるとともに、蓋部材４０が補強されている。また、蓋部材４０の前面４０３にもリブ４０５が設けられており、蓋部材４０の補強を図っている。
【００２６】
開口部４４のうち、後部４２に設けられている２個の開口部４４１，４４１から固定ボルト４５を挿通して、凹部２５の底部２５２Ａに設けられているねじ孔２８に締め付けることにより、蓋部材４０を固定する。
なお、固定ボルト４５は、頭部４５１および螺子部４５２を有しており、頭部４５１と螺子部４５２との間には、螺子部４５２の谷径よりも小径の軸部４５３を有する。
【００２７】
図５に示すように、蓋部材４０の内面４０１には、開口部４４１に連続して筒部４６が設けられている。筒部４６は、蓋部材４０を閉じた際に、先端４６３が上筐体２０の凹部２５の底部２５２Ａに当接する長さを有する。
【００２８】
図７に示すように、筒部４６は、上側の大径部４６１と、下側の小径部４６２を有する。大径部４６１は、固定ボルト４５の頭部４５１が通過可能な内径を有しており、小径部４６２は、螺子部４５２および軸部４５３が通過可能な内径を有する。
大径部４６１と小径部４６２との境界には、隔壁４７が設けられており、固定ボルト４５の螺子部４５２が螺合する螺合部４７１が設けられている。また、固定ボルト４５には圧縮ばね４８が介装されており、固定ボルト４５を筒部４６に取り付けた状態で、筒部４６の隔壁４７の上面と、固定ボルト４５の頭部４５１の下面との間に取り付けられる。
【００２９】
なお、固定ボルト４５は、予め蓋部材４０の開口部４４１に取り付けておく。すなわち、固定ボルト４５の螺子部４５２が筒部４６の隔壁４７の螺合部４７１を通過した状態としておくのが望ましい。
この状態では、筒部４６に取り付けられた固定ボルト４５は、圧縮ばね４８により上方へ付勢されるが、固定ボルト４５の螺子部４５２が隔壁４７の螺合部４７１を下方へ通過した状態では、固定ボルト４５は筒部４６から脱落することはない。これにより、蓋部材４０の固定作業が容易になる。
【００３０】
図４に示すように、蓋部材４０の両側端部には、前述した凹部２５に設けられている係止爪２４３が係合する第１係合部である係合凹部４９が設けられている。図９に示すように、係合凹部４９は、矩形状の切欠４９１と、切欠４９１内部の係合部４９２とを有する。
従って、係止爪２４３が係合凹部４９に係合すると、係合部４９２を係合するとともに、切欠４９１に収容されるので、係止爪２４３は外部に突出しない。
【００３１】
次に、電気機器１０への電線の接続作業について説明する。
電気機器１０の蓋部材４０を開ける。もしくは、開けて取り外す。電線の先端を所定の位置の端子部２６２に接続し、ねじ端子２６５を締め付けて、電線を電気的および機械的に接続する。
次いで、蓋部材４０を閉じる。あるいは、蓋部材４０を取り外してある場合には、蓋部材４０に設けられている軸突起４３を、上筐体２０の凹部２５に設けられている軸凹部２１２に嵌合させた後に閉じる。これにより、上筐体２０の凹部２５に設けられている係止爪２４３により蓋部材４０の係合凹部４９を係止するので、蓋部材４０は仮止めされる。この際、係止爪２４３の上面に傾斜面２４５が設けられているので、係合凹部４９は容易に係止爪２４３により係止される。
その後、蓋部材４０の筒部４６に取り付けられている固定ボルト４５を、凹部２５の底部２５２Ａのねじ孔２８に締結して，取付を完了する。
【００３２】
以上、説明した本発明に係る実施形態の電気機器１０によれば、筐体１１において、互いに隣り合う上面２１および前面２２に亘って凹部２５が設けられており、凹部２５には回路に対して電気的に接続されているとともにねじ端子２６５が螺合可能な複数の端子部２６２が設けられている。
凹部２５は、上面２１および前面２２の稜線２３に沿った両端部の側面前部２４が残るように設けられており、凹部２５を覆う断面略Ｌ字状の蓋部材４０が、稜線２３と平行な回動軸Ｌ１を中心として、筐体１１に対して開閉可能に設けられているので、端子部２６２を覆う蓋部材４０を容易に開閉することができ、作業効率を向上できる。
また、蓋部材４０は筐体１１から外さなくてもよいので、蓋部材４０の置き場所に留意する必要がなく、紛失の虞もない。
【００３３】
また、蓋部材４０は筐体１１に対して開閉可能であるとともに、着脱自在とすることができるので、蓋部材４０が作業の邪魔になる場合等には、蓋部材４０を取り外すことができ、作業性が向上する。また、電気機器１０の組立性も向上する。
【００３４】
また、蓋部材４０の内面には、凹部２５の底部２５２Ａまで延びる筒部４６が設けられているので、蓋部材４０を閉じた際に筒部４６が底部２５２Ａに当接して支持する。このため、凹部２５に挿通され凹部２５の底部２５２Ａに螺合する固定ボルト４５をしっかり締結しても、蓋部材４０の撓みを防止できる。
【００３５】
また、筒部４６の内面には、固定ボルト４５の螺子部４５２が螺合通過する螺合部４７１が設けられているので、螺合部４７１を通過した状態では、固定ボルト４５は筒部４６から脱落しない。
また、筒部４６内面の螺合部４７１と固定ボルト４５の頭部４５１との間に圧縮ばね４８が介装されているので、固定ボルト４５は上方へ付勢されており、固定ボルト４５がガタつかない。
【００３６】
さらに、蓋部材４０において回動軸Ｌ１と平行な方向に沿った端縁に設けられた係合凹部４９が、凹部２５の内面に設けられ、蓋部材４０が凹部２５を覆う状態において係止爪２４３に係合するので、蓋部材４０が閉じた状態で仮止めでき、作業性を改善できる。
【００３７】
なお、本発明の電気機器は、前述した実施形態に限定されるものでなく、適宜な変形，改良等が可能である。
【符号の説明】
【００３８】
１０  電気機器
１１  筐体
２１  上面（第１の面）
２２  前面（第２の面）
２３  稜線
２４  側面前部（角部）
２４１  内面
２４３  係止爪（第２係合部）
２５  凹部
２５２Ａ  底部
２６２  端子部
２６５  ねじ端子
４０  蓋部材
４０１  内面（裏面）
４０２  外面（表面）
４５  固定ボルト
４５１  頭部
４５２  螺子部
４６  筒部
４７１  螺合部
４８  圧縮ばね
４９  係合凹部（第１係合部）
Ｌ１  回動軸
【図１】
0005635344.tif 000002
【図２】
0005635344.tif 000003
【図３】
0005635344.tif 000004
【図４】
0005635344.tif 000005
【図５】
0005635344.tif 000006
【図６】
0005635344.tif 000007
【図７】
0005635344.tif 000008
【図８】
0005635344.tif 000009
【図９】
0005635344.tif 000010
【図１０】
0005635344.tif 000011